(57)【要約】【課題】  画面のスクロール速度を乗員の所望の速度に迅速に変更することができる画面スクロール制御装置およびナビゲーション装置を提供する。【解決手段】  探索経路の目的地を設定するために候補地リスト２０１〜２０５を表示する。候補地リスト２０１〜２０５は、スクロールスイッチ２２２、２２３を構成するスクロールボタン２１６〜２２１を押圧することによってスクロールすることができる。それぞれのスクロールボタンを押圧しながら移動、つまりこすることによって候補地リスト２０１〜２０５のスクロールの速度を自由自在に速くしたり遅くしたりすることができる。【選択図】図２
2006221390.tif 000002
【特許請求の範囲】
【請求項１】
表示画面に設けられたタッチパネル上に第１の方向に延在して表示され、前記第１の方向への画面スクロールを指示する第１の速度可変ボタンと、
前記タッチパネル上に前記第１の方向とは逆の第２の方向に延在して表示され、前記第２の方向への画面スクロールを指示する第２の速度可変ボタンと、
前記第１の速度可変ボタンの操作位置に応じたスクロール速度で前記画面を前記第１の方向にスクロールし、前記第２の速度可変ボタンの操作位置に応じたスクロール速度で前記画面を前記第２の方向にスクロールさせる画面スクロール手段とを備えることを特徴とする画面スクロール制御装置。
【請求項２】
請求項１に記載の画面スクロール制御装置において、
前記第１の速度可変ボタンは、前記第１の方向に離散して配置した異なる複数の速度の画面スクロールを指示する複数のボタンを有し、
前記第２の速度可変ボタンは、前記第２の方向に離散して配置した異なる複数の速度の画面スクロールを指示する複数のボタンを有することを特徴とする画面スクロール制御装置。
【請求項３】
請求項１に記載の画面スクロール制御装置において、
前記第１及び第２の速度可変ボタンは、操作位置に応じてリニアにスクロール速度を指示することを特徴とする画面スクロール制御装置。
【請求項４】
請求項１乃至３のいずれかに記載の画面スクロール制御装置を備えたことを特徴とするナビゲーション装置。
【発明の詳細な説明】
【技術分野】
【０００１】
本発明は、タッチパネルの操作によってスクロール速度を適宜変化させることができる画面スクロール制御装置およびナビゲーション装置に関する。
【背景技術】
【０００２】
スクロール指示キーを押下し続けることによって画面のスクロール速度が次第に上昇し、さらにこのキーと反対方向を指定するキーを押下すると次第にスクロール速度が減速していく画面スクロール方法が知られている（特許文献１）。
【特許文献１】特開平７−２００２３９号公報
【発明の開示】
【発明が解決しようとする課題】
【０００３】
特許文献１に記載されている画面スクロール方法は、乗員が所望するスクロール速度にすぐに達しないという問題点がある。たとえば、スクロール画面のスクロール速度をすぐに速くしたい場合でも、しばらくの間スクロールキーを押下し続けなくてはならない。反対に、スクロール速度をすぐに遅くしたい場合でも、このキーと反対方向を指定するキーを押下して減速させていかなくてはならない。このように特許文献１のナビゲーション装置では、乗員が所望する画面のスクロール速度に達するまで反応時間が長いという問題点がある。
【課題を解決するための手段】
【０００４】
請求項１の発明の画面スクロール制御装置は、表示画面に設けられたタッチパネル上に第１の方向に延在して表示され、第１の方向への画面スクロールを指示する第１の速度可変ボタンと、タッチパネル上に第１の方向とは逆の第２の方向に延在して表示され、第２の方向への画面スクロールを指示する第２の速度可変ボタンと、第１の速度可変ボタンの操作位置に応じたスクロール速度で画面を第１の方向にスクロールし、第２の速度可変ボタンの操作位置に応じたスクロール速度で画面を第２の方向にスクロールさせる画面スクロール手段とを備えることを特徴とする。
請求項２の発明は、請求項１に記載の画面スクロール制御装置において、第１の速度可変ボタンは、第１の方向に離散して配置した異なる複数の速度の画面スクロールを指示する複数のボタンを有し、第２の速度可変ボタンは、第２の方向に離散して配置した異なる複数の速度の画面スクロールを指示する複数のボタンを有することを特徴とする。
請求項３の発明は、請求項１に記載の画面スクロール制御装置において、第１及び第２の速度可変ボタンは、操作位置に応じてリニアにスクロール速度を指示することを特徴とする。
請求項４の発明のナビゲーション装置は、請求項１乃至３のいずれかに記載の画面スクロール制御装置を備えたものである。
【発明の効果】
【０００５】
本発明によれば、画面のスクロール速度を乗員の所望の速度に迅速に変更することができる。
【発明を実施するための最良の形態】
【０００６】
本発明の実施形態によるナビゲーション装置の構成を図１に示す。図１のナビゲーション装置１は、地図表示などの通常のナビゲーション機能をタッチパネルによる入力操作で行うようにしている。ナビゲーション装置１は、制御回路１１、ＲＯＭ１２、ＲＡＭ１３、現在地検出装置１４、画像メモリ１５、表示モニタ１６、タッチパネル１７、ＶＩＣＳ（道路交通情報システム）情報受信部１９およびディスクドライブ２０を有している。タッチパネル１７は、表示モニタ１６の表面に積層される透明のタッチスイッチである。この明細書中、表示モニタ１６に表示される画像がタッチパネル１７に表示されると表現する。タッチパネル１７には、タッチパネル１７からの信号によりタッチパネル１７の押圧位置を算出するタッチパネルコントロール部１８が接続されている。ディスクドライブ２０には、地図データが記録されたＤＶＤ−ＲＯＭ２１が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２１に記憶された地図データに基づいて所定の経路探索処理を行うと、その処理結果が推奨経路としてタッチパネル１７に表示される。
【０００８】
現在地検出装置１４は車両の現在地を検出する装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、タッチパネル１７に表示するための画像データを格納する。この画像データは道路地図描画用データや各種の図形データからなり、それらはディスクドライブ２０によって読み込まれるＤＶＤ−ＲＯＭ２１に記憶された地図データに基づいて、適宜生成される。ナビゲーション装置１は、このようにして生成された画像データを用いることによって地図表示など行うことができる。
【００１０】
表示モニタ１６は、地図データなどの各種情報に基づいて、自車位置付近の道路地図などの各種情報を画面表示として運転者に提供する。上述したとおり、タッチパネル１７は表示モニタ１６のモニタ画面上に設けられた透明パネルであり、表示モニタ１６に表示したモニタ画面はタッチパネル１７を通して表示される。
【００１１】
タッチパネル１７は入力スイッチとしての機能を有し、タッチパネル１７上に表示される地図画面や各種ボタン、表示メニューなどを指で押圧すると、タッチパネルコントロール部１８によって押圧位置が算出される。算出された押圧位置は、制御回路１１に入力されて、目的地を設定したり、各種ボタンや表示メニューに対応する機能を実行させたりする。タッチパネル１７に表示されたスクロールボタンは押圧されると、制御回路１１により地図画面や選択メニューなどの表示がスクロールされる。よって、制御回路１１は画面スクロール制御装置としての機能を有する。
【００１２】
目的地が運転者により設定されると、ナビゲーション装置１はＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、運転者は地図上の探索ルートを画面上で認識することができる。また、ナビゲーション装置１は、探索ルートに従って車両が走行できるように、運転者に対して画面や音声などによる進行方向指示を行い、車両を誘導する。
【００１３】
ＶＩＣＳ情報受信部１９は、図示しないＶＩＣＳ情報センターから供給される渋滞情報などのＶＩＣＳ情報を受信し、制御回路１１に出力する。このＶＩＣＳ情報は主に高速道路上に設置されている電波ビーコンや、主に一般道路上に設置されている光ビーコン、またはＦＭ多重放送によって送信される。ナビゲーション装置１は、これらによって送信されたＶＩＣＳ情報をＶＩＣＳ情報受信部１９により受信する。
【００１４】
ディスクドライブ２０は、装填されたＤＶＤ−ＲＯＭ２１から、表示モニタ１６すなわちタッチパネル１７へ地図を表示するための地図データを読み出す。なお、ＤＶＤ−ＲＯＭ以外の他の記録メディア、たとえばＣＤ−ＲＯＭやハードディスクなどより地図データを読み出してもよい。
【００１５】
次に、本発明の実施形態によるナビゲーション装置のタッチパネル１７に表示される表示画面について、図２を参照して説明する。図２のタッチパネル１７に表示されている画面は、経路探索に用いる目的地の候補地をリスト表示し、いずれか一つの候補地を選択して設定するための目的地設定画面である。
【００１６】
目的地設定画面は、目的地の候補地リスト２０１〜２０５、インデックスボタン２０６〜２１５、下方向スクロールスイッチ２２２および上方向スクロールスイッチ２２３から構成される。候補地リスト２０１〜２０５は、目的地の候補地を５０音の順序で表示するリストである。候補地リスト２０１〜２０５の中から選択された候補地２０２は、他の候補地２０１、２０３、２０４、２０５と表示の色が変えられ、選択した候補地２０２を押圧することによって目的地が設定される。
【００１７】
インデックスボタン２０６〜２１５は、それぞれのボタンに表示されている音で始まる候補地を先頭にして５０音の順序で表示させるボタンであり、候補地リスト２０１〜２０５のインデックスとしての役割を果たす。たとえば、ボタン２０８を押圧すると、「さ」の音から始まる候補地のリストが５０音の順序で表示される。
【００１８】
下方向スクロールスイッチ２２２および上方向スクロールスイッチ２２３は、候補地リスト２０１〜２０５を操作位置に応じたスクロール速度で下方向および上方向にスクロールさせるスクロールボタンである。下方向スクロールスイッチ２２２は下方向に延在して表示され、下方向に離散して配置されたスクロールボタン２１６〜２１８から成る。上方向スクロールスイッチ２２３は上方向に延在して表示され、上方向に離散して配置されたスクロールボタン２１９〜２２１から成る。それぞれのスクロールボタン２１６〜２２１を押圧することによって、候補地リスト２０１〜２０５はスクロールされ、候補地が順次表示される。
【００１９】
スクロールボタン２１６は候補地リスト２０１〜２０５を下方向に低速に、スクロールボタン２１７は下方向に中速に、スクロールボタン２１８は下方向に高速にそれぞれスクロールさせるボタンである。つまり、複数のスクロールボタン２１６〜２１８は下方向の複数の速度の画面スクロールを指示するボタンである。一方、スクロールボタン２１９は候補地リスト２０１〜２０５を上方向に低速に、スクロールボタン２２０は上方向に中速に、スクロールボタン２２１は上方向に高速にそれぞれスクロールさせるボタンである。つまり、複数のスクロールボタン２１９〜２２１は上方向の複数の速度の画面スクロールを指示するボタンである。
【００２０】
次に、スクロールボタン２１６〜２２１の詳細について、図３を参照して説明する。図３（ａ）に示すようにスクロールボタン２１６を手の指３１で押圧すると、図２の候補地リスト２０１〜２０５は下方向に低速でスクロールする。図３（ｂ）に示すようにスクロールボタン２１７を手の指３１で押圧すると図２の候補地リスト２０１〜２０５は下方向に中速でスクロールする。図３（ｃ）に示すようにスクロールボタン２１８を手の指３１で押圧すると図２の候補地リスト２０１〜２０５は下方向に高速でスクロールする。図３（ｄ）に示すように、スクロールボタン２１６のボタンを押圧しながら下方向へ移動、つまり下方向へスクロールボタン上で指をこすることによって、図２の候補地リスト２０１〜２０５の下方へのスクロール速度を低速から高速まで迅速に変更することができる。
【００２１】
同様にして、スクロールボタン２１９のボタンを押圧しながら上方向へこすることによって、図２の候補地リスト２０１〜２０５の上方へのスクロール速度を低速から高速まで迅速に変更することができる。ここで、スクロール速度が高速とは、リストに表示されている候補地名の頭文字が認識できる速度であり、スクロール速度が中速とは、リストに表示されている候補地名の頭文字の４〜５文字程度認識できる速度であり、スクロール速度が低速とは、リストに表示されている候補地名が全て読み取ることができ、認識して選択することができる速度である。
【００２２】
このように、図２の候補地リスト２０１〜２０５のスクロール速度を低速から高速まで迅速に変更できるので、所望の目的地をすばやく表示することができる。たとえば、スクロールボタン２１８を押圧して高速で候補地リスト２０１〜２０５をスクロールさせ、所望の目的地に近づいてきたら指３１をスクロールボタン２１８から上方へ滑らせることによりスクロールボタン２１７を押圧すれば、スクロール速度が速やかに、中速に変更することができる。さらに、所望の目的地が表示される間近になったらスクロールボタン２１６上へ指３１を滑らせて押圧すれば、スクロール速度が速やかに低速に変更することができる。そして、所望の目的地が表示されたら押圧を止める。
【００２３】
このように、候補地のリストのスクロール速度を迅速に変更できるので、速い速度で所望の目的地が表示される間際までスクロール表示でき、所望の目的地を迅速に表示することができる。また、本発明の実施形態では、それぞれのスクロールボタンのスクロール速度が決まっているので、乗員が予想した速度で画面をスクロールすることができる。その結果、候補地リスト２０１〜２０５のスクロール中に所望の目的地を見逃すことが少なくなる。
【００２４】
次にスクロールボタン２１６〜２２１の押圧により、候補地リスト２０１〜２０５のスクロール速度を変更させる制御回路１１の動作について説明する。図４に示すように、タッチパネル１７の表示画面の左隅を原点Ｏ（０，０）として、点Ｉ（Ｘａ，Ｙｉ）、Ｊ（Ｘｂ，Ｙｉ）、Ｋ（Ｘａ，Ｙｋ）、Ｌ（Ｘｂ，Ｙｋ）で囲まれるタッチエリアが押圧されると、押圧位置がタッチパネルコントロール部１８によって算出される。そして、算出された押圧位置は制御回路１１に入力され、候補地リスト２０１〜２０５は制御回路１１によって下方向に低速にスクロールされる。
【００２５】
また、点Ｋ（Ｘａ，Ｙｋ）、Ｌ（Ｘｂ，Ｙｋ）、Ｍ（Ｘａ，Ｙｍ）、Ｎ（Ｘｂ，Ｙｍ）で囲まれるタッチエリアが押圧されると、押圧位置がタッチパネルコントロール部１８によって算出される。そして、算出された押圧位置は制御回路１１に入力され、候補地リスト２０１〜２０５は制御回路１１によって下方向に中速にスクロールされる。同様にして、点Ｍ（Ｘａ，Ｙｍ）、Ｎ（Ｘｂ，Ｙｍ）、Ｐ（Ｘａ，Ｙｐ）、Ｑ（Ｘｂ，Ｙｐ）で囲まれるタッチエリアが押圧されると、候補地リスト２０１〜２０５は制御回路１１によって下方向に高速にスクロールされる。
【００２６】
本発明の実施形態では、点Ｅ（Ｘａ，Ｙｅ）、Ｆ（Ｘｂ，Ｙｅ）、Ｇ（Ｘａ，Ｙｇ）、Ｈ（Ｘｂ，Ｙｇ）で囲まれるタッチエリアが押圧されると、押圧位置がタッチパネルコントロール部１８によって算出される。そして、算出された押圧位置は制御回路１１に入力され、候補地リスト２０１〜２０５は制御回路１１によって上方向に低速でスクロールされる。
【００２７】
また、点Ｃ（Ｘａ，Ｙｃ）、Ｄ（Ｘｂ，Ｙｃ）、Ｅ（Ｘａ，Ｙｅ）、Ｆ（Ｘｂ，Ｙｅ）で囲まれるタッチエリアが押圧されると、押圧位置がタッチパネルコントロール部１８によって算出される。そして、算出された押圧位置は制御回路１１に入力され、候補地リスト２０１〜２０５は制御回路１１によって上方向に中速でスクロールされる。同様にして、点Ａ（Ｘａ，Ｙａ）、Ｂ（Ｘｂ，Ｙａ）、Ｃ（Ｘａ，Ｙｃ）、Ｄ（Ｘｂ，Ｙｃ）で囲まれるタッチエリアが押圧されると、候補地リスト２０１〜２０５は制御回路１１によって下方向に高速でスクロールされる。
【００２８】
このような画面スクロール制御装置およびナビゲーション装置によれば次のような作用効果が得られる。
（１）所望の目的地を迅速に表示できる。
（２）スクロール時に所望の目的地を見逃すことが少なくなる。
【００２９】
本発明の実施形態では、画面のスクロール速度を低速、中速、高速の３段階に設定したが、タッチエリアをさらに細かく細分化して４段階以上に増やしてもよい。また、高速、中速、低速のスクロール速度も本発明の実施形態に限定されるものではなく、乗員が見やすいように適宜変更することができる。
【００３０】
また、本発明の実施形態では、押圧位置がタッチエリアに含まれるか否かによってスクロール速度を変更したが、基準位置から押圧位置までの距離によってスクロール速度を変更してもよい。図４において、候補地のリストを下方向へスクロールさせるために点（Ｘａ，Ｙｉ）、Ｊ（Ｘｂ，Ｙｉ）、Ｐ（Ｘａ，Ｙｐ）、Ｑ（Ｘｂ，Ｙｐ）の範囲内の点Ｒ（Ｘ，Ｙ）を押圧したときを例にして説明する。
【００３１】
線分Ｉ（Ｘａ，Ｙｉ）、Ｊ（Ｘｂ，Ｙｉ）上に押圧位置が算出された場合のスクロール速度をＶａとし、線分Ｐ（Ｘａ，Ｙｐ）、Ｑ（Ｘｂ，Ｙｐ）上に押圧位置が算出されたときのスクロール速度Ｖｂとなるように制御回路１１を設定する。そして、押圧位置Ｒ（Ｘ，Ｙ）と線分ＩＪおよび線分ＰＱからの距離に基づいてスクロール速度を設定する。点Ｒ（Ｘ，Ｙ）に押圧位置が算出された場合は、スクロール速度Ｖは（Ｖａ−Ｖｂ）×（Ｙ−Ｙｐ）／（Ｙｉ−Ｙｐ）＋Ｖｂとなるように制御回路１１を設定する。
【００３２】
このように制御回路１１を設定することによって、制御回路１１により押圧位置が線分ＩＪに近づくにしたがって、スクロール速度Ｖａに近い速度で画面はスクロールされ、押圧位置が線分ＰＱに近づくにしたがってスクロール速度Ｖｂに近い速度で画面はスクロールされる。そして、線分ＩＪと線分ＰＱとの間で、スクロール速度を低速から高速へリニアに変更することができる。
【００３３】
このように制御回路１１を設定することによって、乗員は操作位置に応じてリニアにスクロール速度を指示することができるので、所望のスクロール速度を得るためにはどの位置を押圧すればよいか見当が付き、スクロール速度自体も乗員の所望のスクロール速度に変更することができる。
【００３４】
本発明の実施形態では、経路探索における目的地の候補地リストの表示画面に本発明を適用したものとして説明したが、候補地リスト表示のスクロールに限定されるものではなく、本発明は地図画面のスクロールなどに用いてもよい。また、ナビゲーション装置に限らず、表示モニタ上の画面のスクロール可能な種々の電子装置に本発明は適用することができる。
【００３５】
特許請求の範囲の要素と実施の形態との対応関係を説明する。
本発明の第１の方向は下方向に対応し、第１の速度可変ボタンは下方向スクロールスイッチ２２２に対応する。第２の方向は上方向に対応し、第２の速度可変ボタンは上方向スクロールスイッチ２２３に対応する。複数の速度の画面スクロールを指示する複数のボタンはスクロールボタン２１６〜２２１に対応する。画面スクロール制御装置は制御回路１１に対応する。なお、以上の説明はあくまで一例であり、発明の解釈上で、上記の実施形態の構成要素と本発明の構成要素の対応関係になんら限定されるものではない。
【図面の簡単な説明】
【００３６】
【図１】本発明のナビゲーション装置の構成を示すブロック図である。
【図２】タッチパネルの表示画面を示す図である。
【図３】（ａ）は、画面を下方へ低速でスクロールするときのスクロールボタンの押圧を説明する図であり、（ｂ）は、画面を下方へ中速にスクロールするときのスクロールボタンの押圧を説明する図であり、（ｃ）は、画面を下方へ高速にスクロールするときのスクロールボタンの押圧を説明する図であり、（ｄ）は、画面を下方へのスクロール速度を可変にするときのスクロールボタンの押圧を説明する図である。
【図４】本発明におけるタッチパネルのタッチエリアの設定について説明するための図である。
【符号の説明】
【００３７】
１  ナビゲーション装置
１１  制御回路
１７  タッチパネル
１８  タッチパネルコントロール部
２０１〜２０５  候補地リスト
２１８〜２２１  スクロールボタン
２２２  下方向スクロールスイッチ
２２３  上方向スクロールスイッチ
【図１】
2006221390.tif 000003
【図２】
2006221390.tif 000004
【図３】
2006221390.tif 000005
【図４】
2006221390.tif 000006